(57)【要約】【課題】簡単な構造で、印刷物等の展示物を挟持して展示できるとともに、展示物の差し替えを簡単に行うことができる、前面開放型の展示物を挟持して展示するための額縁を提供すること。【解決手段】裏面板１と、該裏面板１上に展示物を介して重合される表面板２とを備え、裏面板１との間に表面板２を嵌入するための隙間３が形成されるように、裏面板１上の対向する位置に棒状部材４を略平行に接着又は融着する。【選択図】図１
2006320700.tif 000002
【特許請求の範囲】
【請求項１】
裏面板と、該裏面板上に重合される表面板とを備え、裏面板との間に、表面板及び／又は裏面板を撓ませることにより表面板の縁部を嵌入、係止することができる隙間を形成する隙間形成部材を、裏面板の対向する位置に接着又は融着したことを特徴とする額縁。
【請求項２】
隙間形成部材を断面が円形又は多角形の棒状部材で構成したことを特徴とする請求項１記載の額縁。
【請求項３】
隙間形成部材に、裏面板の裏に添着される台座を形成したことを特徴とする請求項１記載の額縁。
【請求項４】
台座に、掛け部を設けたことを特徴とする請求項３記載の額縁。
【請求項５】
台座に、スタンドの先端を挿入する筒状の挿入部を設けたことを特徴とする請求項３又は４記載の額縁。
【請求項６】
台座に、接着剤又は溶着剤を適用する貫通孔を設けたことを特徴とする請求項３、４又は５記載の額縁。
【請求項７】
隙間形成部材を、裏面板の外周縁に接着又は融着したことを特徴とする請求項１、２、３、４、５又は６記載の額縁。
【請求項８】
隙間形成部材を、裏面板の角部に接着又は融着したことを特徴とする請求項１、２、３、４、５又は６記載の額縁。
【発明の詳細な説明】
【技術分野】
【０００１】
本発明は、簡単な構造で、印刷物等の展示物や掲示物等（本明細書において、「展示物」という。）を挟持して展示できるとともに、展示物の差し替えを簡単に行うことができる、前面開放型の展示物を挟持して展示するための展示具（本明細書において、「額縁」という。）に関するものである。
【背景技術】
【０００２】
従来、前面開放型の額縁では、アルミ等の押出形材のフレームによって枠組みされるとともに、板ガラスや展示物、裏板等の内容物を保持するために、フレームに板ガラスの前部掛止片が設けられている。
【０００３】
このため、従来の額縁では、前面から展示物を差し替えする手段として、各フレームをヒンジによって開閉構造となし、前部掛止片を枠外側へ反転して開放するようになされているが、フレームの構造が複雑で、展示物の差し替えを簡単に行うことができないという問題があった。
【発明の開示】
【発明が解決しようとする課題】
【０００４】
本発明は、上記従来の額縁が有する問題点に鑑み、簡単な構造で、印刷物等の展示物を挟持して展示できるとともに、展示物の差し替えを簡単に行うことができる、前面開放型の展示物を挟持して展示するための額縁を提供することを目的とする。
【課題を解決するための手段】
【０００５】
上記目的を達成するため、本発明の額縁は、裏面板と、該裏面板上に重合される表面板とを備え、裏面板との間に、表面板及び／又は裏面板を撓ませることにより表面板の縁部を嵌入、係止することができる隙間を形成する隙間形成部材を、裏面板の対向する位置に接着又は融着したことを特徴とする。
【０００６】
この場合において、隙間形成部材を断面が円形又は多角形の棒状部材で構成することができる。
【０００７】
また、隙間形成部材に、裏面板の裏に添着される台座を形成することができる。
【０００８】
また、台座に、掛け部を設けることができる。
【０００９】
また、台座に、スタンドの先端を挿入する筒状の挿入部を設けることができる。
【００１０】
また、台座に、接着剤又は溶着剤を適用する貫通孔を設けることができる。
【００１１】
また、隙間形成部材を、裏面板の外周縁及び／又は裏面板の角部に接着又は融着することができる。
【発明の効果】
【００１２】
本発明の額縁によれば、裏面板と、該裏面板上に重合される表面板とを備え、裏面板との間に、表面板及び／又は裏面板を撓ませることにより表面板の縁部を嵌入、係止することができる隙間を形成する隙間形成部材を、裏面板の対向する位置に接着又は融着することから、表面板を隙間形成部材と裏面板の隙間に嵌入することにより、展示物を挟持することができ、これにより、前面開放型の額縁においても、簡単な構造で、展示物を挟持して展示できるとともに、展示物の差し替えを簡単に行うことができる。
【００１３】
また、隙間形成部材を断面が円形又は多角形の棒状部材で構成することにより、隙間形成部材を裏面板に接着又は溶着するだけで、容易に隙間を形成することができる。
【００１４】
また、隙間形成部材に、裏面板の裏に添着される台座を形成することにより、隙間形成部材を台座を介して裏面板に固定することができ、これにより、表板が嵌入される隙間を容易かつ正確に形成することができる。
【００１５】
また、台座に、掛け部を設けたり、スタンドの先端を挿入する筒状の挿入部を設けることにより、額縁を、壁に掛けて使用したり、台上に立てて使用することができ、これら両方を形成することにより、使用態様を容易に選択することができる。
【００１６】
また、台座に、接着剤又は溶着剤を適用する貫通孔を設けることにより、貫通孔を介して台座を容易に接着剤又は溶着剤を適用することができ、接着又は融着作業の容易化と、きれいな仕上がりを図ることができる。
【００１７】
また、隙間形成部材を、裏面板の外周縁及び／又は裏面板の角部に接着又は融着するようにすることにより、額縁の大きさ等に合わせて隙間形成部材を選択的に配設して、表面板の浮き上がりを確実に防止することができる。
【発明を実施するための最良の形態】
【００１８】
以下、本発明の額縁の実施の形態を、図面に基づいて説明する。
【実施例１】
【００１９】
図１〜図２に、本発明の額縁の第１実施例を示す。
この額縁は、裏面板１と、該裏面板１上に展示物（図示省略）を介して重合される表面板２とを備え、裏面板１との間に表面板２を嵌入するための隙間３が形成されるように、裏面板１上の外周縁の対向する位置に隙間形成部材としての棒状部材４を略平行に接着又は融着するようにしている。
【００２０】
裏面板１と表面板２は、例えば、アクリル樹脂等の無色透明のプラスチック板からなり、表面板２は、対向する棒状部材４の両方の隙間３に嵌入できるように、その長さや幅が設定されている。
そして、裏面板１及び表面板２の少なくとも一方は、表面板２の縁部を隙間３に嵌入する際に撓ませることができるように所定の可撓性を備えている。
また、表面板２と裏面板１は、棒状部材４と合わせて総じて軽量に形成されており、また、表面板２と裏面板１の両方を無色透明にすることにより、両面から展示物が見られるようになっている。
【００２１】
棒状部材４は、例えば、図２に示すように、断面が円形又は多角形の無色透明のプラスチック棒等で構成することができ、これにより、棒状部材４を裏面板１に接着又は溶着するだけで、隙間３を容易に形成するようにしている。
なお、断面が円形の棒状部材４を接着又は溶着するときは、図２（ｂ）に示すように、棒状部材４の接着面が平たくなるように削ったり、図２（ｃ）に示すように、接着剤５を棒状部材４の外側に盛るようにすることもできる。
棒状部材４は、中実、中空（パイプ部材）のいずれでもよいが、中空の場合は吊り紐等（図示省略）を挿通することにより、額縁を容易に取り付けることができる。
また、本実施例では、棒状部材４を縦方向と横方向の両方に配設しているが、棒状部材４を縦方向に配設して、裏面板１の上下位置に表面板２の移動を止める凸部（図示省略）を設けたり、棒状部材４を横方向に配設して、裏面板１の左右位置に表面板２の移動を止める凸部（図示省略）を設けることも可能である。
【００２２】
かくして、本実施例の額縁は、裏面板１と、該裏面板１上に重合される表面板２とを備え、裏面板１との間に表面板２を嵌入するための隙間３が形成されるように、裏面板１上の外周縁の対向する位置に隙間形成部材としての棒状部材４を略平行に接着又は融着することから、表面板２を棒状部材４と裏面板１の隙間３に嵌入することにより、展示物を挟持することができ、これにより、前面開放型の額縁においても、簡単な構造で、展示物を挟持して展示できるとともに、展示物の差し替えを簡単に行うことができる。
また、隙間形成部材としての棒状部材４を断面が円形又は多角形の棒状部材で構成することにより、棒状部材４を裏面板１に接着又は溶着するだけで、容易に隙間３を形成することができる。
【実施例２】
【００２３】
次に、図３〜図７に、本発明の額縁の第２実施例を示す。
この額縁は、裏面板１と、該裏面板１上に重合される表面板２とを備え、裏面板１との間に表面板２が嵌入される隙間３を形成する係止部６を形成した隙間形成部材４を、裏面板１の外周縁の対向する位置に接着又は融着している。
【００２４】
裏面板１と表面板２は、例えば、アクリル樹脂等の無色透明のプラスチック板からなり、表面板２は裏面板１と同形状で、同じ大きさに形成されている。
そして、裏面板１及び表面板２の少なくとも一方は、表面板２の縁部を隙間３に嵌入する際に撓ませることができるように所定の可撓性を備えている。
【００２５】
隙間形成部材４は、上部内側に係止部６を形成し、この掛け部６と裏面板１との間に、表面板２が嵌入される隙間３を形成している。
また、隙間形成部材４には、裏面板１の裏に添着される台座７を形成し、この台座７には、接着剤又は溶着剤を適用する貫通孔７１と、壁の釘等に掛止する掛け部７２と、棒状部材（中実、中空（パイプ部材）のいずれでもよい）からなるスタンド８の先端を挿入する筒状の挿入部７３と、リング状の紐掛け部７４とを設け、台座７を介して裏面板１に接着又は融着されるようにする。
【００２６】
そして、裏面板１及び表面板２が大きい場合には、図８〜図１１に示す第１変形例のように、裏面板１との間に、表面板２の角部を嵌入、係止することができる隙間３を形成する角部隙間形成部材９を、裏面板１の角部に接着又は融着することができる。
角部隙間形成部材９は、上部内側に係止部６を有する断面Ｌ字型の突起からなり、係止部６と裏面板１との間に、表面板２が嵌入される隙間３を形成している。
角部隙間形成部材９には、裏面板１の裏に添着される台座７を形成し、この台座７には、接着剤又は溶着剤を適用する貫通孔７１と、裏面板１の角部に当接する位置決めリブ７５と、リング状の紐掛け部７４とが設けられている。
【００２７】
また、上記第１変形例においては、隙間形成部材として、裏面板１の外周縁に配設する隙間形成部材４と、裏面板１の角部に配設する角部隙間形成部材９とを併用するようにしたが、裏面板１及び表面板２が小さい場合には、図１２に示す第２変形例のように、隙間形成部材として、裏面板１の角部に配設する角部隙間形成部材９のみを用いるようにして、額縁を簡易に構成することができる。
この第２変形例の額縁は、壁に掛けて使用するほか、裏面板１に任意の形状のスタンドの取付部（図示省略）を設けることにより、台上に立てて使用することができる。
【００２８】
かくして、本実施例の額縁は、裏面板１と、該裏面板１上に重合される表面板２と、該裏面板１の外周縁又は角部の対向する位置に配設され、裏面板１との間に表面板２が嵌入される隙間３を形成する隙間形成部材４及び／又は角部隙間形成部材９とを備え、該隙間形成部材４に、裏面板１の裏に添着される台座７を形成したことから、表面板２を隙間形成部材４と裏面板１の隙間３に嵌入することにより、展示物を挟持することができ、これにより、前面開放型の額縁においても、簡単な構造で、展示物を挟持して展示できるとともに、展示物の差し替えを簡単に行うことができる。
また、隙間形成部材４を裏面板１の縁部に当てて位置決めしながら台座７を固定することができ、これにより、表板２が嵌入される隙間３を容易かつ正確に形成することができる。
また、台座７に、掛け部７２と、スタンド８の先端を挿入する筒状の挿入部７３とを設けることにより、額縁を、壁に掛けて使用したり、台上に立てて使用することが、容易に選択できる。
また、台座７に、接着剤又は溶着剤を適用する貫通孔７１を設けることにより、該貫通孔７１を介して台座７を容易に接着又は溶着することができる。
また、表面板２の角部が嵌入される隙間３を形成する角部隙間形成部材９を、裏面板１の角部に設けることにより、額縁が大形になった場合でも表面板２の角部の浮き上がりを確実に防止することができる。
【００２９】
以上、本発明の額縁について、複数の実施例に基づいて説明したが、本発明は上記実施例に記載した構成に限定されるものではなく、例えば、裏面板を金属板で、また、隙間形成部材を金属製のもので構成する等、その趣旨を逸脱しない範囲において適宜その構成を変更することができる。
【産業上の利用可能性】
【００３０】
本発明の前面開放型の展示物を挟持して展示するための額縁は、簡単な構造で、印刷物等の展示物を挟持して展示できるとともに、展示物の差し替えを簡単に行うことができることから、例えば、ポスター、広告、案内等を展示する用途に広く用いることができる。
【図面の簡単な説明】
【００３１】
【図１】本発明の額縁の第１実施例を示し、（ａ）はその正面図、（ｂ）は同左側面図、（ｃ）は同底面図である。
【図２】同実施例の隙間形成部材の近傍を示し、（ａ）は中空丸棒を用いた例を示す断面図、（ｂ）は中空丸棒の接着面を削った例を示す断面図、（ｃ）は中実丸棒を用いた例を示す断面図、（ｄ）は六角棒を用いた例を示す断面図である。
【図３】本発明の額縁の第２実施例を示す正面図である。
【図４】同実施例の額縁を示す部分斜視図である。
【図５】同実施例の額縁を示す部分側面図である。
【図６】同額縁の隙間形成部材を背面から見た斜視図である。
【図７】同隙間形成部材を示し、（ａ）は平面図、（ｂ）は（ａ）のＸ−Ｘ断面図である。
【図８】本発明の額縁の第２実施例の第１変形例を示す正面図である。
【図９】同額縁の角部隙間形成部材を示す斜視図である。
【図１０】角部隙間形成部材を裏側から見た斜視図である。
【図１１】角部隙間形成部材を示し、（ａ）は平面図、（ｂ）は（ａ）のＹ−Ｙ断面図である。
【図１２】本発明の額縁の第２実施例の第２変形例を示す正面図である。
【符号の説明】
【００３２】
１    裏面板
２    表面板
３    隙間
４    隙間形成部材（棒状部材）
５    接着剤（溶着剤）
６    係止部
７    台座
７１  貫通孔
７２  掛け部
７３  挿入部
７４  紐掛け部
７５  位置決めリブ
８    スタンド
９    角部隙間形成部材
【図１】
2006320700.tif 000003
【図２】
2006320700.tif 000004
【図３】
2006320700.tif 000005
【図４】
2006320700.tif 000006
【図５】
2006320700.tif 000007
【図６】
2006320700.tif 000008
【図７】
2006320700.tif 000009
【図８】
2006320700.tif 000010
【図９】
2006320700.tif 000011
【図１０】
2006320700.tif 000012
【図１１】
2006320700.tif 000013
【図１２】
2006320700.tif 000014